(57)【特許請求の範囲】
【請求項１】
コネクタハウジングに並設された前後方向を向いた端子収容室にはジョイント用の端子金具が収容され、この端子金具は、電線の端末に接続される電線接続部と、他の端子金具を受け入れて接続可能な端子接続部と、この端子接続部から前方に延出されたタブ状のジョイント部とを備えており、前記端子金具は前記コネクタハウジングに対して、前記ジョイント部が前記端子収容室の前部開口より突出した状態で収容されるようにしたものにおいて、
前記コネクタハウジングには、前記端子収容室の前部開口から突出した前記端子金具のジョイント部を覆うカバーが着脱可能に装備されているとともに、
このカバーには、導通検知棒を挿通して前記端子金具との電気接触を許容する挿通孔が前記端子収容室の位置ごとに個別に形成され、
さらに前記挿通孔には上下の壁が連設され、この上下の壁の間に、前記導通検知棒の上下方向の振れを規制しつつその挿通を許容する挿通路が前記端子収容室の前面開口付近まで延出して形成され、
かつ前記端子金具の突出したジョイント部が、前記上または下の壁を挟んで前記挿通路の外側に位置するようになっていることを特徴とするジョイントコネクタ。
【請求項２】
前記上または下の壁のうちの前記ジョイント部が外側に位置する方の壁におけるジョイント部の先端と対向する端縁には、前記ジョイント部をこの壁の外側に誘導する誘導面が形成されていることを特徴とする請求項１記載のジョイントコネクタ。
【請求項３】
前記挿通孔には左右の壁が連設され、この左右の壁の間に、前記導通検知棒の左右方向の振れを規制しつつその挿通を許容する挿通路が構成されていることを特徴とする請求項１または請求項２記載のジョイントコネクタ。
【請求項４】
前記コネクタハウジングには端子金具に係止するリテーナが装着可能となっており、前記カバーには、前記リテーナを装着操作可能な開口が形成されていることを特徴とする請求項１ないし請求項３のいずれかに記載のジョイントコネクタ。
【請求項５】
前記カバーには、前記コネクタハウジングに対して弾性的に係止する弾性ロック部が設けられていることを特徴とする請求項１ないし請求項４のいずれかに記載のジョイントコネクタ。
【請求項６】
前記コネクタハウジングの側面には、これらのコネクタハウジングが互いに積み上げ結合された際に直線状に連って結合されたコネクタハウジングの前面を覆うべくシャッタをスライド装着可能としたガイド部が設けられ、このガイド部が、前記カバーにおける弾性ロック部の受け部を兼用していることを特徴とする請求項５記載のジョイントコネクタ。
【発明の詳細な説明】
【０００１】
【発明の属する技術分野】
この発明は、ジョイントコネクタに関するものである。
【０００２】
【従来の技術】
この種のジョイントコネクタは、アースライン等の共通の回路系統に使用される各電線をそれぞれ接続する場合に用いられるが、その一例として本願出願人は、特開２００１−９３６０７に開示されたものを提案した。
このものは、図１８に示すように、前後方向を向いた端子収容室２を左右方向に複数並設してなるコネクタハウジング１を複数個備えるとともに、各端子収容室２に収容されるジョイント用の端子金具３を備えている。この端子金具３は、電線４の端末に接続される電線接続部５と、他の端子金具３を受け入れて接続可能な端子接続部６と、この端子接続部６から前方に延出されたタブ状のジョイント部７とから構成されている。
【０００３】
端子金具３は初めは、ジョイント部７を前部開口８から突出させた状態で端子収容室２に収容される。そして、各コネクタハウジング１においてジョイント部７が２度直角曲げされて折り返され、その後各コネクタハウジング１を前後方向にスライドさせつつ積み上げて結合すると、図１９に示すように、ジョイント部７が上側のコネクタハウジング１の端子収容室２に前方から挿入され、この端子収容室２内に収容されている端子金具３の端子接続部６へ差し込まれることで、上下の端子金具３同士が接続されるようになっている。
【０００４】
【発明が解決しようとする課題】
しかるに上記従来のものは、導通検査時等の便宜のため、すなわち端子金具３の装着のし直し等があることを考慮し、各コネクタハウジング１を積み上げ結合する直前で初めて、端子金具３のジョイント部７を折り返し形成するようにしている。言い換えると、端子収容室２に端子金具３が収容されてから、コネクタハウジング１の積み上げ結合が行われるまでは、端子金具３のジョイント部７がコネクタハウジング１の前方に突出した状態で取り扱われることになり、場合によっては異物に突き当たって変形する等のおそれがあり、その対策が急務となっていた。
本発明は上記した事情を背景として完成されたものである。
【０００５】
【課題を解決するための手段】
請求項１の発明に係るジョイントコネクタは、コネクタハウジングに並設された前後方向を向いた端子収容室にはジョイント用の端子金具が収容され、この端子金具は、電線の端末に接続される電線接続部と、他の端子金具を受け入れて接続可能な端子接続部と、この端子接続部から前方に延出されたタブ状のジョイント部とを備えており、前記端子金具は前記コネクタハウジングに対して、前記ジョイント部が前記端子収容室の前部開口より突出した状態で収容されるようにしたものにおいて、前記コネクタハウジングには、前記端子収容室の前部開口から突出した前記端子金具のジョイント部を覆うカバーが着脱可能に装備されているとともに、このカバーには、導通検知棒を挿通して前記端子金具との電気接触を許容する挿通孔が前記端子収容室の位置ごとに個別に形成され、さらに前記挿通孔には上下の壁が連設され、この上下の壁の間に、前記導通検知棒の上下方向の振れを規制しつつその挿通を許容する挿通路が前記端子収容室の前面開口付近まで延出して形成され、かつ前記端子金具の突出したジョイント部が、前記上または下の壁を挟んで前記挿通路の外側に位置するようになっているところに特徴を有する。
【０００６】
請求項２の発明は、請求項１に記載のものにおいて、前記上または下の壁のうちの前記ジョイント部が外側に位置する方の壁におけるジョイント部の先端と対向する端縁には、前記ジョイント部をこの壁の外側に誘導する誘導面が形成されているところに特徴を有する。
【０００７】
請求項３の発明は、請求項１または請求項２に記載のものにおいて、前記挿通孔には左右の壁が連設され、この左右の壁の間に、前記導通検知棒の左右方向の振れを規制しつつその挿通を許容する挿通路が構成されているところに特徴を有する。
請求項４の発明は、請求項１ないし請求項３のいずれかに記載のものにおいて、前記コネクタハウジングには端子金具に係止するリテーナが装着可能となっており、前記カバーには、前記リテーナを装着操作可能な開口が形成されているところに特徴を有する。
【０００８】
請求項５の発明は、請求項１ないし請求項４のいずれかに記載のものにおいて、前記カバーには、前記コネクタハウジングに対して弾性的に係止する弾性ロック部が設けられているところに特徴を有する。
請求項６の発明は、請求項５に記載のものにおいて、前記コネクタハウジングの側面には、これらのコネクタハウジングが互いに積み上げ結合された際に直線状に連って結合されたコネクタハウジングの前面を覆うべくシャッタをスライド装着可能としたガイド部が設けられ、このガイド部が、前記カバーにおける弾性ロック部の受け部を兼用しているところに特徴を有する。
【０００９】
【発明の作用及び効果】
＜請求項１の発明＞
コネクタハウジングにカバーが装着されることによって、端子収容室の前部開口から前方に突出した端子金具のジョイント部が、異物に突き当たる等から保護される。導通検知棒が挿通孔から挿通されて端子金具と電気接触され、導通検査が行われる。カバーに挿通孔を設けたことで、ジョイント部が真直に突出しかつこれが保護された状態で導通検査を行うことができ、端子金具の誤挿入があって入れ直す場合等に簡単にできる。また、導通検知棒が上下方向に振れ止めされて挿通され、例えばジョイント部を突くことが防止される。
【００１０】
＜請求項２の発明＞
端子金具を端子収容室に挿入したのちにカバーを装着する場合、逆にカバーをコネクタハウジングに予め装着した状態で端子金具を端子収容室に挿入した場合のいずれも、ジョイント部が誘導面によって所定の壁の外側に誘導される。ジョイント部が壁に当たって変形したり、挿通路に入って導通検知棒の挿通の邪魔をするといった弊害が避けられる。
＜請求項３の発明＞
導通検知棒が左右方向に振れ止めされて挿通され、端子金具における端子接続部等の所定の接触部分に正確に導くことができる。
【００１１】
＜請求項４の発明＞
コネクタハウジングにカバーを装着したままの状態で、開口を通してリテーナを装着することができる。
＜請求項５の発明＞
カバーを弾性ロック部によりロックするようにしたから、強固なロックを担保しつつ、ロック部の変形を招くことなくロックの解除を行うことができる。
＜請求項６の発明＞
シャッタをスライド嵌合すべくガイド部を、弾性ロック部の受け部に兼用したから、構造をシンプルとすることができる。
【００１２】
【発明の実施の形態】
以下、本発明の一実施形態を図１ないし図１７に基づいて説明する。
本実施形態のジョイントコネクタＪＣは、図１４に示すように、ジョイント用の端子金具１０が収容されたコネクタハウジング２０を図示８段積み上げてブロック体５５が構成され、このブロック体５５の同図の下面に、相手部材と取り付けられるカセットロック４１（図１５）が設けられた固定部材４０が装着されるとともに、ブロック体５５の前面に、シャッタ５０が装着されるようになっている。
【００１３】
端子金具１０は圧接タイプのジョイント端子であって、導電性に優れた金属板をプレス成形することによって、図１に示す形状に形成される。詳細には、後端部に電線Ｗの被覆にかしめられるインシュレーションバレル１１が設けられ、その前側に電線Ｗの端末に圧接される圧接部１２が設けられており、圧接部１２の前方には、他の端子金具１０と接続されるための端子接続部１３が設けられている。端子接続部１３は、前後方向に開口した略角筒状に形成されており、二重構造となった天井壁の内壁には、前縁から内向きで略山形状に折り返された弾性接触片１４が形成されている。一方、天井壁の外壁には、撓み変形可能な金属ランス１５が後方の斜め上方を向いた姿勢で形成されている。
【００１４】
また、端子接続部１３における天井壁の外壁の前縁からは、タブ状をなすジョイント部１６が前方に向けて延出形成されている。このジョイント部１６の付け根側の半分は一枚板によって形成されるのに対して、先端側の半分は、一方の側縁から折り重ねられることで二枚重ね部１６Ａとされている。
端子金具１０は、キャリアで一連に繋がれて搬送されつつ製造されるが、終盤の工程で、キャリアが波形に寄せ変形されて連鎖部１７とされ、図２に示すように、この連鎖部１７を介して６本が並んで繋がった連鎖端子として形成される。また端子金具１０のうち、ジョイント部１６を残したもの１０Ａと、ジョイント部１６を切断したもの１０Ｂとに選択的に分けられる。
【００１５】
コネクタハウジング２０は、合成樹脂材によって図１及び図３に示す形状に形成されている。全体としては扁平なブロック状に形成され、その内部には、図示１２個の端子収容室２１が横方向に並んで形成されている。各端子収容室２１には、端子金具１０が後方の出入口から挿入可能とされている。
端子収容室２１の前面には、ここに収容された端子金具１０の端子接続部１３に対して、他の端子金具１０のジョイント部１６を挿入可能な挿入口２２が開口されているとともに、その上方には、逆に端子収容室２１に収容された端子金具１０のジョイント部１６を前方に突出可能とする導出口２３が開口されている。また、コネクタハウジング２０の前面には、各端子収容室２１間を仕切るための仕切壁２４が縦向きに突出して形成されている。
【００１６】
端子収容室２１の各出入口は、上記した端子金具１０の連鎖部１７が連なっている場合にも挿入できるように、連通状に形成されている。また、各端子収容室２１の天井面における前端寄りの位置には、端子金具１０に設けられた金属ランス１５に係止可能なランス孔２５が開口されている。
コネクタハウジング２０の上面には、サイドタイプのリテーナ２７を挿入可能なリテーナ挿入口２９が端子収容室２１の上面に開口して形成されている。リテーナ２７は、図１に示すように、係止部２８が端子収容室２１の上方に退避して端子金具１０の挿抜を許容する仮係止位置と、図１３に示すように、コネクタハウジング２０の上面と面一の位置まで差し込まれた本係止位置とでそれぞれ保持可能となっており、この本係止位置では、係止部２８が端子収容室２１内に突入して端子金具１０の被係止部１８に係止可能となっている。
【００１７】
したがってリテーナ２７が仮係止位置に保持された状態で、図１に示すように、端子金具１０が対応する端子収容室２１に後方から挿入され、途中から金属ランス１５を撓み変形させつつ押し込まれて、端子接続部１３が端子収容室２１の前面壁に突き当たるまで押し込まれたところで、図８に参照して示すように、金属ランス１５が復元変形しつつランス孔２５に嵌まり、端子金具１０が抜け止め状に一次係止されるようになっている。
このとき、ジョイント部１６が残された端子金具１０Ａでは、そのジョイント部１６が導出口２３を通って前方に突出し、一方ジョイント部１６が切断処理された端子金具１０Ｂでは、図１３の上段に参照して示すように、その切断部１６Ｂが導出口２３付近に留まるようになっている。
【００１８】
先に、コネクタハウジング２０の積み上げ結合構造を説明する。コネクタハウジング２０の上面には、左右一対のリブ３０が設けられている。このリブ３０は鈎状断面をなし、互いに向き合った姿勢に形成されている。なお、リブ３０は途中位置で寸断されている。一方、コネクタハウジング２０の下面には、上記したリブ３０がほぼ緊密に嵌合される同じく鈎状断面をなす左右一対の嵌合溝３１が形成されている。また、コネクタハウジング２０の上面におけるリブ３０の後方位置には、係止孔３３の開口された係止片３２が形成されているとともに、下面における後端寄りの位置には、上記の係止孔３３に嵌合可能な突部３４が形成されている（図１参照）。
したがって、図１２の矢線に示すように、上側のコネクタハウジング２０の嵌合溝３１を、下側のコネクタハウジング２０のリブ３０に合わせてスライド嵌合することで、２つのコネクタハウジング２０同士が密接した状態で結合され、結合完了時には、突部３４が係止片３２の係止孔３３に嵌まって分離不能状態に保持されるようになっている。
【００１９】
固定部材４０及びその装着構造は、以下のようである。固定部材４０は、合成樹脂材により形成され、図１４及び図１５に示すように、コネクタハウジング２０の外形寸法と一致した外形寸法を持った長方形状の板状物として形成されている。固定部材４０の下面には、相手部材の被取付部に対して差し込んで取り付けられるカセットロック４１が形成されている。
この固定部材４０の上面における左右両側縁には、上記したコネクタハウジング２０のリブ３０と同様に、鈎状断面をなす連続したリブ４３が形成されているとともに、このリブ４３の挿入方向の前方に、上記したコネクタハウジング２０の突部３４が嵌まる係止孔４５が開口された係止片４４が形成されている。
したがって、図１４の矢線Ｘに示すように、リブ４３をコネクタハウジング２０の嵌合溝３１に合わせて、固定部材４０を所定位置までスライド挿入すると、突部３４が係止片４４の係止孔４５に嵌まることで、図１５に示すように、固定部材４０はコネクタハウジング２０の下面の全面を覆った状態で分離不能に保持されるようになっている。
【００２０】
また、シャッタ５０及びその装着構造は以下のようである。シャッタ５０は同じく合成樹脂製であって、図１４及び図１６に示すように、ブロック体５５の前面よりもやや大きい板状物として形成されている。
シャッタ５０には、下縁を除いた３つの側縁に側壁が立てられており、左右の側壁５１Ａの内側の面には、縦向きの突条５２が形成されている。一方、各コネクタハウジング２０の左右の側面における前端寄りの位置には、縦向きのガイド溝３５が形成されている。これらのガイド溝３５は、コネクタハウジング２０が積み上げられてブロック体５５が構成された場合に１本に連なり、シャッタ５０の突条５２を摺動可能に案内し得るようになっている。
【００２１】
シャッタ５０の下縁の左右両端部には、ロック孔５３が開口されているとともに、上記した固定部材４０には、リブ４３における挿入方向の後面から、ロック孔５３に嵌合可能なロック突部４７が形成されている。
シャッタ５０の上縁の側壁５１Ｂにおける内面の左右両端部には、嵌合突起５４が形成されているとともに、コネクタハウジング２０の上面における前縁の左右両端部には、嵌合突起５４が嵌合可能な凹部３６が形成されている。
上記したシャッタ５０は、固定部材４０がブロック体５５の下面に装着された後に、図１４及び図１６の矢線Ｙに示すように、上方からブロック体５５に対して装着される。詳細には、突条５２をガイド溝３５に合わせて押し込み、嵌合突起５４が凹部３６に嵌まる所定深さまで押し込まれると、図１７に示すように、ロック突部４７がロック孔５３に嵌まり、シャッタ５０がブロック体５５の前面を覆って取り付けられるようになっている。
【００２２】
さてこの実施形態のジョイントコネクタＪＣでは、図３に示すように、コネクタハウジング２０の各端子収容室２１に端子金具１０が収容された状態から、ジョイント部１６が突出しているものについては、上段に配されたコネクタハウジング２０の端子収容室２１に収容された端子金具１０との間でジョイントを取るべく折り曲げ作業がなされる。具体的には、図１０に示すように、ジョイント部１６における根元付近が導出口２３から上方に直角曲げされ、続いて図１１に示すように、ジョイント部１６における二枚重ね部１６Ａの根元が後方に直角曲げされ、ジョイント部１６は、二枚重ね部１６Ａが後方を向いた略Ｕ字状に折り返された状態とされる。
この状態からコネクタハウジング２０が順次に積み上げ結合されるが、上記した端子金具１０のジョイント部１６の折り曲げ作業はコネクタハウジング２０を積み上げ結合する直前で初めて行われるから、言い換えると、端子収容室２１に端子金具１０が収容されてからコネクタハウジング２０の積み上げ結合が行われるまでは、端子金具１０のジョイント部１６がコネクタハウジング２０の前方に突出した状態で取り扱われることになる。
【００２３】
そこで、このように突出したジョイント部１６を保護すべくカバー６０が備えられており、以下これについて詳細に説明する。
カバー６０は合成樹脂製であって、図１及び図３に示すように、コネクタハウジング２０の前面側から被せられるように装着可能なキャップ状に形成されており、正規位置に装着された場合には、図８に示すように、端子金具１０の突出したジョイント部１６の突出端の位置から、コネクタハウジング２０におけるリブ３０の後端よりも少し手前の位置にわたって覆うことが可能な大きさとなっている。カバー６０の上面板には、その後縁側の幅方向の中央部が所定寸法切り欠かれることで、リテーナ２７の装着部分を開放する操作用開口６１が形成されている。
【００２４】
カバー６０の上面板における左右両端部の内側の面には、図４にも示すように、コネクタハウジング２０の上面に形成されたリブ３０を摺動可能に嵌合する前後方向の摺動溝６２が形成されている。一方、カバー６０の下面板における左右両端部の内側の面には、コネクタハウジング２０の下面に形成された嵌合溝３１に摺動可能に嵌合する前後方向のレール６３が形成されている。このレール６３の奥側の上面には、一段高くなった突き当て部６４が形成され、コネクタハウジング２０の前面に突き当たることで、カバー６０のそれ以上の押し込みが規制されるようになっている。カバー６０の押し込みが規制された状態では、図８に示すように、カバー６０の前面板が、コネクタハウジング２０の前面に突出した端子金具１０のジョイント部１６の直前に留まるようになっている。
【００２５】
カバー６０の左右の側面板は、その後端側のほぼ半分が切除されており、その切除端に上下２本のスリットが入れられることで、撓み変形可能なロック片６６が形成されている。このロック片６６の先端の内側の面には、図５に示すように、コネクタハウジング２０の側面に形成されたシャッタ５０のガイド溝３５に係止可能な突起６７が形成されている。この突起６７は、コネクタハウジング２０と対向する側の面がテーパ状のガイド面６７Ａとなり、反対側の面が直角な係止面６７Ｂとなった断面鈎状に形成されている。カバー６０が正規位置まで装着された場合には、ロック片６６の突起６７がコネクタハウジング２０のガイド溝３５の位置に達する設定となっている。
なお、カバー６０の上面板の前縁における中央部と、下面板の前縁における左右両端部とには、それぞれ治具等を引っ掛けて着脱操作等に利用する突部６８が形成されている。
【００２６】
カバー６０における前面板の裏側の位置には、底面から所定寸法隆起した隆起部７０が、ほぼ全幅にわたって形成されている。この隆起部７０は、カバー６０が上記の正規位置に装着された場合に、コネクタハウジング２０の直ぐ手前に至るまで延出されている（図８参照）。また、隆起部７０の上面は、コネクタハウジング２０の前面から突出したジョイント部１６の直下に位置する設定となっており、隆起部７０の上面の延出端の角には、緩やかなテーパ状の誘導面７１が形成されている。
【００２７】
上記した隆起部７０の前面には、コネクタハウジング２０の各端子収容室２１の位置ごとに対応して、導通検査を行うためのプローブ８０を挿通する挿通孔７２が形成され、その奥に方形断面の挿通路７３が連設されている。プローブ８０は、図８及び図９に示すように、先端側の縮径された段付きの棒状になっており、図示しない導通検査用回路と接続されている。より詳細には、各挿通孔７２並びに挿通路７３は、各端子収容室２１の前面の挿入口２２と同心に形成されており、プローブ８０の先端の縮径部８１Ａが挿入口２２を通してその内部に進入可能であり、挿通路７３はプローブ８０の後端側の拡径部８１Ｂとがたつきなく嵌合し得るようになっている。なお、挿通孔７２の前面側の口縁は、ガイド用に面取りされている。
【００２８】
続いて、本実施形態の組み付け手順の一例を説明する。
コネクタハウジング２０にはリテーナ２７が仮係止位置に保持され、この状態で図１の矢線に示すように、電線Ｗの端末に接続された端子金具１０が対応する端子収容室２１に挿入され、所定位置に押し込まれたところで金属ランス１５がランス孔２５に嵌まって一次係止される（図８参照）。このときジョイント部１６が残された端子金具１０Ａでは、ジョイント部１６が導出口２３を通ってコネクタハウジング２０の前方に突出する。
【００２９】
次に、カバー６０が装着される。カバー６０は、上下の摺動溝６２とレール６３とを、コネクタハウジング２０の上下のリブ３０と嵌合溝３１とに合わせて、それらに沿って前方からコネクタハウジング２０に被さるように押し込まれる。押し込みが進むと、突出したジョイント部１６の二枚重ね部１６Ａが隆起部７０の上面に沿って進出する。ジョイント部１６が多少下方に傾いていたとしても、誘導面７１により隆起部７０の上面側に誘導される。
【００３０】
カバー６０の押し込みの終盤になると、図６に示すように、ロック片６６の突起６７のガイド面６７Ａがコネクタハウジング２０の前面の左右両側縁に当たり、さらに押し込むと、図７（Ａ）に示すように、ロック片６６が外側に撓み変形する。突き当て部６４がコネクタハウジング２０の前面に突き当たって押し込みが停止されると、同図（Ｂ）に示すように、ロック片６６が復元変形しつつ突起６７がコネクタハウジング２０の側面のガイド溝３５に嵌まり、抜け止め状態に装着される。
このカバー６０の装着により、図８に示すように、コネクタハウジング２０の前面に突出した端子金具１０のジョイント部１６が保護される。
【００３１】
このようにカバー６０が装着された状態で、導通検査が行われる。その場合は、コネクタハウジング２０が検査装置（図示せず）にセットされ、図８に示すように、プローブ８０がカバー６０の前面に形成された挿通孔７２に前方から挿通される。プローブ８０の拡径部８１Ｂが挿通路７３に臨んだのちは、その上下左右の壁により振れ止めされて真直姿勢で押し込まれ、先端側の縮径部８１Ａが対応する端子収容室２１の前面の挿入口２２を通って、図９に示すように、そこに収容されている端子金具１０の端子接続部１３に進入し、弾性接触片１４と接触する。これにより所定の導通検査が行われる。
【００３２】
導通検査が終了したらプローブ８０が引き抜かれ、カバー６０の上面板に形成された操作用開口６１を通して、図９の矢線に示すように、リテーナ２７が本係止位置に向けて押し込まれる。そうすると、リテーナ２７の係止部２８が端子収容室２１内に突入して端子金具１０の被係止部１８に係止し、すなわち端子金具１０が抜け方向に二重係止される。
そしてコネクタハウジング２０は、積み上げ結合作業が行われるまでは、カバー６０が装着されて端子金具１０の突出したジョイント部１６が保護された状態で取り扱われる。
【００３３】
コネクタハウジング２０の積み上げ結合作業は、以下のようにして行われる。まず、コネクタハウジング２０からカバー６０が外される。具体的には、治具等でロック片６６を強制的に撓み変形させて突起６７をガイド溝３５から外し、カバー６０が前方に引き抜かれる。
そうしたら、コネクタハウジング２０の前面に突出している端子金具１０のジョイント部１６について、まず図１０に示すように、その根元付近を上方に直角曲げし、続いて図１１に示すように、二枚重ね部１６Ａの根元を後方に直角曲げすることで、二枚重ね部１６Ａが後方に折り返された状態とする。
【００３４】
次に、図１２の矢線に示すように、上側のコネクタハウジング２０の嵌合溝３１を、下側のコネクタハウジング２０のリブ３０に合わせてスライド嵌合し、図１３に示すように、２つのコネクタハウジング２０を上下に重ね合わせる。このとき、下側のコネクタハウジング２０から折り返し状に突出されたジョイント部１６の二枚重ね部１６Ａは、上側のコネクタハウジング２０の挿入口２２から端子収容室２１内に進入し、上側のコネクタハウジング２０に収容された端子金具１０の端子接続部１３に差し込まれて弾性接触片１４と接触することで、上下の端子金具１０同士が接続される。
【００３５】
このようにして、順次にコネクタハウジング２０を積み上げ結合することで、図１４に示すように、８段に積層されたブロック体５５が形成される。
そうしたら、固定部材４０が、同図の矢線Ｘに示すように、リブ４３をコネクタハウジング２０の嵌合溝３１に合わせてスライド挿入され、図１５に示すように、突部３４が係止片４４の係止孔４５に嵌まることで、コネクタハウジング２０の下面の全面を覆って取り付けられる。
続いてシャッタ５０が、図１４及び図１６の矢線Ｙに示すように、突条５２をブロック体５５の側面で一列に連なったガイド溝３５に合わせて押し込まれ、嵌合突起５４が凹部３６に嵌まる所定深さまで押し込まれると、図１７に示すように、ロック突部４７がロック孔５３に嵌まり、シャッタ５０がブロック体５５の前面を覆って取り付けられる。これにより、ジョイントコネクタＪＣの組み立てが完了する。
【００３６】
以上説明したように本実施形態によれば、コネクタハウジング２０の端子収容室２１に端子金具１０が収容されてから、ジョイント部１６の折り返し作業が行われるまでの間カバー６０が装着されることによって、端子収容室２１の導出口２３から前方に突出した端子金具１０のジョイント部１６が、異物に突き当たる等から保護される。
またカバー６０には、導通検査用のプローブ８０の挿通孔７２並びに挿通路７３が形成されているから、ジョイント部１６が折り返される前で真直に突出しかつこれが保護された状態で導通検査を行うことができる。端子金具１０の誤挿入があって入れ直す場合等も簡単にできる。
【００３７】
しかも、挿通路７３は、長い距離が取られてプローブ８０の拡径部８１Ｂに緊密に嵌合する設定となっているから、プローブ８０が振れ止めされて真直に挿通され、ジョイント部１６を突いたりすることなく、端子金具１０の端子接続部１３に正確に導くことができる。
また、プローブ８０の形成された隆起部７０における上面の延出端には誘導面７１が形成されているから、ジョイント部１６が隆起部７０の上面に確実に誘導され、ジョイント部１６が隆起部７０に当たって変形したり、挿通路７３内に入ってプローブ８０の進入の邪魔をするといった弊害が避けられる。
【００３８】
カバー６０にはリテーナ２７の装着部分を開放する操作用開口６１が形成されているから、カバー６０を装着したままの状態でリテーナ２７を本係止位置に押し込んで、端子金具１０の二重係止作業を行うことができる。
カバー６０は、ロック片６６が弾性的に係止することでコネクタハウジング２０に取り付けられるようになっているから、強固なロックを担保しつつ、突起６７の変形等を招くことなくロックの解除を行うことができる。
しかも、ロック片６６の突起６７が嵌まる受け部には、シャッタ５０をスライド嵌合すべくガイド溝３５を兼用しているから、構造をシンプルにまとめることができる。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）カバーのロック片に設けられる突起を、両面をテーパ面とした山形状に形成し、いわゆるセミロック構造としてもよい。これにより、治具等を用いることなくカバーの着脱を行うことができる。
（２）上記実施形態に示した組み付け手順はあくまでも一例であって、例えば、コネクタハウジングに予めカバーを装着してから端子金具を収容するようにしてもよい。また、端子金具に対して抜け方向の力が作用するプローブによる導通検査を行う前に、リテーナを本係止位置に押し込むようにしてもよい。
（３）また上記実施形態に示した端子金具は圧接型であるが、電線の端末にかしめにより固着される圧着型であってもよい。
【図面の簡単な説明】
【図１】本発明の一実施形態に係るコネクタハウジングに端子金具とカバーとを装着する前の状態の分解縦断面図
【図２】端子金具の斜視図
【図３】カバーの装着前の状態を示す斜視図
【図４】カバーの背面図
【図５】カバーにおけるロック片の形成部分付近の部分拡大平断面図
【図６】カバーの装着途中を示す一部切欠平面図
【図７】カバーの装着動作の終盤を示す一部切欠平面図
【図８】導通検査前の状態の縦断面図
【図９】導通検査時の縦断面図
【図１０】端子金具の１回目の曲げ形成を行った状態の斜視図
【図１１】その２回目の曲げ形成を行った状態の斜視図
【図１２】コネクタハウジング同士の結合動作を示す斜視図
【図１３】コネクタハウジングを２段まで組み付けた状態を示す縦断面図
【図１４】固定部材とシャッタの装着動作を示す斜視図
【図１５】固定部材が装着された状態の一部切欠底面図
【図１６】シャッタの装着動作を示す一部切欠側面図
【図１７】組立完了状態のジョイントコネクタの斜視図
【図１８】従来例におけるコネクタハウジングに端子金具を収容した状態の縦断面図
【図１９】そのコネクタハウジングを２段重ねた状態の縦断面図
【符号の説明】
ＪＣ…ジョイントコネクタ
Ｗ…電線
１０，１０Ａ，１０Ｂ…端子金具
１２…圧接部（電線接続部）
１３…端子接続部
１６…ジョイント部
２０…コネクタハウジング
２１…端子収容室
２２…挿入口
２３…導出口（前部開口）
２７…リテーナ
３５…ガイド溝（ガイド部）
５０…シャッタ
６０…カバー
６１…操作用開口
６６…ロック片（弾性ロック部）
６７…突起
７０…隆起部
７１…誘導面
７２…挿通孔
７３…挿通路
８０…プローブ（導通検知棒）
８１Ａ…縮径部
８１Ｂ…拡径部
【図１】
0003846624.tif 000002
【図２】
0003846624.tif 000003
【図３】
0003846624.tif 000004
【図４】
0003846624.tif 000005
【図５】
0003846624.tif 000006
【図６】
0003846624.tif 000007
【図７】
0003846624.tif 000008
【図８】
0003846624.tif 000009
【図９】
0003846624.tif 000010
【図１０】
0003846624.tif 000011
【図１１】
0003846624.tif 000012
【図１２】
0003846624.tif 000013
【図１３】
0003846624.tif 000014
【図１４】
0003846624.tif 000015
【図１５】
0003846624.tif 000016
【図１６】
0003846624.tif 000017
【図１７】
0003846624.tif 000018
【図１８】
0003846624.tif 000019
【図１９】
0003846624.tif 000020